(57)【要約】【目的】高い意匠性の確保と施工時間の短縮を図りつつ、毛細管現象による水の浸入を防いで高い止水性を確保することができる壁パネルの結合構造を提供すること。【構成】上下端面の一方に凸部１０ａを他方に凹部１１ａを形成して成る複数の壁パネル１（１Ａ，１Ｂ）を凹凸嵌合によって上下方向に積み重ねて結合する壁パネル１の結合構造において、前記各壁パネル１に形成された凸部１０ａの頂部に段部１０ｂを形成し、隣り合う壁パネル１Ａ，１Ｂの凹凸嵌合部内に、毛細管現象をカットするための空間Ｓを形成する。本発明によれば、隣り合う壁パネル１Ａ，１Ｂの凹凸嵌合部内に形成された空間Ｓによって毛細管現象がカットされるため、壁パネル１Ａ，１Ｂの凹凸嵌合部に高い止水性が確保され、壁パネル１Ａ，１Ｂ外部への漏水が確実に防がれる。従って、コーキング材や目地材を用いた止水処理が不要となり、施工時間を短縮することができる。【選択図】      図４
2004300731.tif 000002
【特許請求の範囲】
【請求項１】
上下端面の一方に凸部を他方に凹部を形成して成る複数の壁パネルを凹凸嵌合によって上下方向に積み重ねて結合する壁パネルの結合構造において、
前記各壁パネルに形成された凸部の頂部に段部を形成し、隣り合う壁パネルの凹凸嵌合部内に、毛細管現象をカットするための空間を形成したことを特徴とする壁パネルの結合構造。
【請求項２】
前記各壁パネルの上端面に凸部を、下端面に凹部を形成したことを特徴とする請求項１記載の壁パネルの結合構造。
【請求項３】
前記凸部と凹部を壁パネルの表面を基準として形成したことを特徴とする請求項１又は２記載の壁パネルの結合構造。
【請求項４】
前記各壁パネルに形成された凸部の高さを凹部の深さよりも小さく設定したことを特徴とする請求項１〜３の何れかに記載の壁パネルの結合構造。
【請求項５】
隣り合う壁パネルの凹凸嵌合部の凹部と凸部との間に止水材を介設したことを特徴とする請求項４記載の壁パネルの結合構造。
【発明の詳細な説明】
【０００１】
【発明の属する技術分野】
本発明は、ユニットバスの壁面等の構築に適用される壁パネルの結合構造であって、更に詳細には上下端面の一方に凸部を他方に凹部を形成して成る複数の壁パネルを凹凸嵌合によって上下方向に積み重ねて結合する壁パネルの結合構造に関するものである。
【０００２】
【従来の技術】
例えば、ユニットバスの壁面を構築する形態として、図６に示すように、縦長の複数の壁パネル１０１を左右方向に結合する方式が採用されていた。この方式では、図７に示すように、壁パネル１０１の裏面又は木口面に取り付けられたジョイント部品１１３，１１４を用いて、隣り合う壁パネル１０１同士が図８に示すように結合される。尚、図７は結合前、図８は結合後の壁パネル１０１の部分横断面図（図６のＢ−Ｂ線断面図）である。
【０００３】
ところが、上記方式では、図８（ａ）に示すように壁パネル１０１の厚み公差によって壁パネル１０１の表面に段差Δｔが生じたり、同図（ｂ）に示すようにジョイント部品１１３，１１４の取付公差によって壁パネル１０１の表面に段差Δａが生じるという問題があった。
【０００４】
又、ジョイント部品１１３，１１４は壁パネル１０１の高さ方向に部分的に嵌合されるため、壁パネル１０１が反っている場合には、ジョイント部品１１３，１１４が無い部分では壁パネル１０１の表面に段差が生じていた。
【０００５】
更に、壁パネル１０１間の目地の幅が広いために意匠性が悪いという問題があった。
【０００６】
又、図８に示すように、壁パネル１０１間の目地部をコーキング材１１５や目地材等で止水処理しているが、見え掛かり面にパネル意匠とは別の意匠であるコーキング材１１５が存在するために意匠性が損なわれる他、コーキング材１１５や目地材等による止水処理を要するため、コーキング材１１５の塗布、目地材の嵌め込み等の作業が必要となり、施工時間が長くなるという問題があった。
【０００７】
そこで、図９に示すように、上下端面の一方に凸部２１０ａを他方に凹部２１１ａを形成して成る複数の壁パネル２０１を凹凸嵌合によって上下方向に積み重ねて結合する方式が提案されている（例えば、特開平１０−３１１１１１号、特開平６−４２０７５号公報参照）。
【０００８】
【発明が解決しようとする課題】
しかしながら、上記提案に係る壁パネル結合構造においては、隣り合う壁パネル２０１の凹凸嵌合部の隙間から水が毛細管現象によって浸入するために止水性が悪く、壁パネル２０１外部への漏水が発生するという問題があった。
【０００９】
本発明は上記問題に鑑みてなされたもので、その目的とする処は、高い意匠性の確保と施工時間の短縮を図りつつ、毛細管現象による水の浸入を防いで高い止水性を確保することができる壁パネルの結合構造を提供することにある。
【００１０】
【課題を解決するための手段】
上記目的を達成するため、請求項１記載の発明は、上下端面の一方に凸部を他方に凹部を形成して成る複数の壁パネルを凹凸嵌合によって上下方向に積み重ねて結合する壁パネルの結合構造において、前記各壁パネルに形成された凸部の頂部に段部を形成し、隣り合う壁パネルの凹凸嵌合部内に、毛細管現象をカットするための空間を形成したことを特徴とする。
【００１１】
従って、請求項１記載の発明によれば、隣り合う壁パネルの凹凸嵌合部内に形成された空間によって毛細管現象がカットされるため、壁パネルの凹凸嵌合部に高い止水性が確保され、壁パネル外部への漏水が確実に防がれる。従って、コーキング材や目地材を用いた止水処理が不要となり、施工時間を短縮することができるとともに、壁パネルの目地部にコーキング材や目地材等が存在せず、更に凹凸嵌合によって壁パネルに段差が発生しないため、見た目に美しく、高い意匠性が確保される。
【００１２】
又、複数の壁パネルが凹凸嵌合によって上下方向に積み重ねて結合されるため、壁パネル間の目地幅が小さく抑えられて清掃性が高められるとともに、目地部をコーキングしないためにカビの発生が抑えられる。
【００１３】
更に、壁パネルに反りがあっても、凹凸嵌合によって反りが矯正されるため、壁パネル間の段差が解消されて高い意匠性が確保される。
【００１４】
請求項２記載の発明は、請求項１記載の発明において、前記各壁パネルの上端面に凸部を、下端面に凹部を形成したことを特徴とする。
【００１５】
従って、請求項２記載の発明によれば、壁パネルの凹凸嵌合部での止水効果が更に高められる。
【００１６】
請求項３記載の発明は、請求項１又は２記載の発明において、前記凸部と凹部を壁パネルの表面を基準として形成したことを特徴とする。
【００１７】
従って、請求項３記載の発明によれば、凸部と凹部が壁パネルの表面を基準として形成されるため、壁パネルの厚み公差等とは無関係に、隣り合う壁パネルの段差が解消されて高い意匠性が確保される。
【００１８】
請求項４記載の発明は、請求項１〜３の何れかに記載の発明において、前記各壁パネルに形成された凸部の高さを凹部の深さよりも小さく設定したことを特徴とする。
【００１９】
従って、請求項４記載の発明によれば、隣り合う壁パネル同士が上下方向に密着するため、両者間の目地幅が最小限に抑えられ、高い意匠性と止水性及び清掃性が確保される。
【００２０】
請求項５記載の発明は、請求項４記載の発明において、隣り合う壁パネルの凹凸嵌合部の凹部と凸部との間に止水材を介設したことを特徴とする。
【００２１】
従って、請求項５記載の発明によれば、壁パネルの凹凸嵌合部に形成された空間による毛細管現象のカットによる止水効果に、止水材による２次的な止水効果が加えられるため、水の浸入が一層確実に防がれる。
【００２２】
【発明の実施の形態】
以下に本発明の実施の形態を添付図面に基づいて説明する。
【００２３】
図１は本発明に係る壁パネルの結合構造を備えるユニットバスルームの斜視図である。
【００２４】
図１に示すユニットバスルームにおいては、横長の複数の壁パネル１を本発明に係る結合構造によって上下方向に積み重ねて結合することによって側壁が構成されている。
【００２５】
又、ユニットバスルームには、洗い場を構成する床面パネル２の長手方向に沿って浴槽３が配置され、床面パネル２には、不図示の排水口を覆う着脱可能な蓋４が設けられている。尚、浴槽３には水栓金具５が付属しており、側壁の一部には手摺６が縦方向に長く取り付けられている。
【００２６】
次に、本発明に係る壁パネルの結合構造を図２〜図４に基づいて説明する。尚、図２〜図４は隣り合う壁パネルの嵌合端部の部分縦断面図であり、図２は結合前の状態、図３は結合中の状態、図４は結合後の状態（図１のＡ−Ａ線断面図）をそれぞれ示す。
【００２７】
図２において、１（１Ａ），１（１Ｂ）は厚さ約２０ｍｍ程度の前記壁パネルであって、各壁パネル１は、矩形板状の保温材７の両面を厚さ３〜５ｍｍの薄い矩形板状の表面化粧板８と裏面板９でサンドイッチ状に挟み込んで接着し、その上下端部の表面化粧板８と裏面板９の間（保温材７が無い部分）に芯材１０，１１を挟み込んで接着することによって構成されている。ここで、保温材７は発泡スチロール（高発泡ＰＳ材）等で構成され、バスルーム側（表面側）に位置する表面化粧板８は化粧樹脂板や化粧鋼板等で構成され、外面側の裏面板９は樹脂板や鋼板等で構成され、芯材１０，１１はアルミニウム押出材や樹脂等で構成されている。
【００２８】
而して、各壁パネル１（芯材１０）の上端面の幅方向中央には凸部１０ａが長さ方向（横方向）全長に亘って一体に形成されており、同壁パネル１（芯材１１）の下端面の幅方向中央には矩形溝状の凹部１１ａが長さ方向（横方向）全長に亘って形成されている。この場合、凸部１０ａと凹部１１ａは壁パネル１の表面（バスルーム側の化粧面）を基準として加工することによって形成されている。
【００２９】
ここで、上記凸部１０ａの頂部の表面側（バスルーム側）の隅部には矩形状の段部１０ｂが形成されており、凸部１０ａの高さｈ（本実施の形態では１０ｍｍ）は凹部１１ａの深さｄ（本実施の形態では１５ｍｍ）よりも小さく設定されている（ｈ＜ｄ）。又、凹部１１ａの幅Ｂは凸部１０ａの幅ｂよりも僅か（本実施の形態では０．１〜０．３ｍｍ程度。即ち、Ｂ−ｂ＝０．１〜０．３ｍｍ）大きく設定されている（Ｂ＞ｂ）。
【００３０】
更に、各壁パネル１の下端面の凹部１１ａを挟む部分において、裏面側の下端面ａは表面側の下端面ｂよりも僅かに上方に位置しており、両者の間にはΔｈ（本実施の形態では０．２ｍｍ）の段差が形成されている。これに対して、各壁パネル１の上端面の凸部１０ａを挟む表面側と裏面側の端面ｃ，ｄは同一高さ（つまり、面一）とされており、両者間に段差は設けられていない。
【００３１】
次に、本発明に係る結合構造によって壁パネルを組み付ける要領について説明する。
【００３２】
本発明に係る結合構造においては、下方の壁パネルの上に壁パネルが凹凸嵌合によって積み重ねられて結合される。即ち、図２〜図４に示す例について説明すると、既に結合された下方の壁パネル１Ａの上端面には凸部１０ａが突出しており、この壁パネル１Ａの上に壁パネル１Ｂを積み重ねて結合する際、図３に示すように、壁パネル１Ｂの下端面に形成された凹部１１ａに弾性材から成る止水材１２が全幅に亘って嵌め込まれて貼り付けられる。尚、本実施の形態では、止水材１２として厚さ１０ｍｍのゴム系のパッキンが用いられている。
【００３３】
上述のように、結合すべき壁パネル１Ｂの凹部１１ａに止水材１２を貼り付けると、図４に示すように、結合すべき壁パネル１Ｂの凹部１１ａを下方の壁パネル１Ａの凸部１０ａに上方から嵌合すると、壁パネル１Ｂが凹凸嵌合によって下方の壁パネル１Ａ上に積み重ねられて結合される。すると、止水材１２が壁パネル１Ａの凸部１０ａによって圧縮されて変形し、壁パネル１Ｂの凹部１１ａ内で壁パネル１Ａの凸部１０ａとの空間を全幅に亘って埋めて止水機能を果たす。又、壁パネル１Ａの凸部１０ａの頂部には段部１０ｂを形成したため、凹部１１ａ内には毛細管現象をカットするための空間Ｓが長さ方向（横方向）全長に亘って形成される。
【００３４】
ところで、前述のように凸部１０ａの高さｈ（＝１０ｍｍ）は凹部１１ａの深さｄ（＝１５ｍｍ）よりも小さく設定されており、壁パネル１Ｂの下端面の凹部１１ａを挟む端面ａ，ｂの間にはΔｈ（＝０．２ｍｍ）の段差が形成されているため、壁パネル１Ｂの下端面と壁パネル１Ａの上端面とは表面側（バスルーム側）においては密着し、裏面側には段差Δｈ分のガタが発生する。この結果、結合された壁パネル１Ａ，１Ｂ間の目地幅が最小限に抑えられ、高い止水性及び清掃性が確保されるとともに、コーキング材や目地材を用いた止水処理が不要となるため、施工時間が短縮される。又、壁パネル１Ａ，１Ｂの目地部にコーキング材や目地材等が存在しないため、カビの発生が抑えられる。
【００３５】
又、前述のように、各壁パネル１において凹部１１ａの幅Ｂは凸部１０ａの幅ｂよりも僅か（０．１〜０．３ｍｍ程度）に大きく設定されているため、壁パネル１Ｂの凹部１１ａの壁パネル１Ａの凸部１０ａへの嵌合が容易になされ、嵌合後の凹部１１ａと凸部１０ａ間には図４に示すガタΔｂ（＝０．１〜０．３ｍｍ）が発生する。
【００３６】
以上と同様の要領によって複数の壁パネル１を凹凸嵌合によって上下方向に積み重ねて結合する作業を繰り返すことによって、図１に示すユニットバスルームの側壁が構築されるが、本発明によれば、上下の壁パネル１の凹凸嵌合部内に形成された空間Ｓによって毛細管現象がカットされるため、壁パネル１の凹凸嵌合部に高い止水性が確保され、壁パネル１外部への漏水が確実に防がれる。又、各壁パネル１の上端面に凸部１０ａを、下端面に凹部１１ａを形成したため、壁パネル１の凹凸嵌合部での止水効果が更に高められる。
【００３７】
更に、上下の壁パネル１の凹凸嵌合部の凹部１１ａと凸部１０ａとの間に止水材１２を介設したため、壁パネル１の凹凸嵌合部に形成された空間Ｓによる毛細管現象のカットによる前記止水効果に、止水材１２による２次的な止水効果が加えられ、これによって水の浸入が一層確実に防がれる。
【００３８】
又、各壁パネル１において、前述のように凸部１０ａと凹部１１ａを表面を基準として形成したため、壁パネル１の厚み公差等とは無関係に、上下の壁パネル１の段差が解消され、更に、壁パネル１に反りがあっても、凹凸嵌合によってその反りが矯正されるため、壁パネル１間の段差が解消されて高い意匠性が確保される。
【００３９】
尚、以上の実施の形態では、止水材１２を壁パネル１の凹部１１ａ内に全幅に亘って貼り付けたが、図５に示すように、止水材１２’を壁パネル１の凹部１１ａ内に部分的貼り付けて凹凸嵌合部内に毛細管現象をカットするための大きな空間Ｓ’を確保するようにしても良い。
【００４０】
【発明の効果】
以上の説明で明らかなように、本発明によれば、上下端面の一方に凸部を他方に凹部を形成して成る複数の壁パネルを凹凸嵌合によって上下方向に積み重ねて結合する壁パネルの結合構造において、前記各壁パネルに形成された凸部の頂部に段部を形成し、隣り合う壁パネルの凹凸嵌合部内に、毛細管現象をカットするための空間を形成したため、高い意匠性の確保と施工時間の短縮を図りつつ、毛細管現象による水の浸入を防いで高い止水性を確保することができるという効果が得られる。
【図面の簡単な説明】
【図１】本発明に係る壁パネルの結合構造を備えるユニットバスルームの斜視図である。
【図２】結合前の隣り合う壁パネルの嵌合端部の部分縦断面図である。
【図３】結合中の隣り合う壁パネルの嵌合端部の部分縦断面図である。
【図４】結合後の隣り合う壁パネルの嵌合端部の部分縦断面図（図１のＡ−Ａ線断面図）である。
【図５】本発明に係る壁パネルの結合構造の別形態を示す隣り合う壁パネルの嵌合端部の部分縦断面図である。
【図６】従来の壁パネルの結合構造を備えるユニットバスルームの斜視図である。
【図７】結合前の壁パネルの部分横断面図である。
【図８】結合後の壁パネルの部分横断面図（図６のＢ−Ｂ線断面図）である。
【図９】壁パネルの結合構造の従来例を示す部分縦断面図である。
【符号の説明】
１            壁パネル
７            保温材
８            表面化粧板
９            裏面板
１０          芯材
１０ａ        凸部
１０ｂ        段部
１１          芯材
１１ａ        凹部
１２，１２’  止水材
Ｓ，Ｓ’      空間
【図１】
2004300731.tif 000003
【図２】
2004300731.tif 000004
【図３】
2004300731.tif 000005
【図４】
2004300731.tif 000006
【図５】
2004300731.tif 000007
【図６】
2004300731.tif 000008
【図７】
2004300731.tif 000009
【図８】
2004300731.tif 000010
【図９】
2004300731.tif 000011